(57)【要約】【課題】簡便な構造でコンタクトのフローティング量を大きく確保し、しかも、部品点数が少なく、組み付けに係る作業負担を低減するコネクタおよびコネクタ装置を提供すること。【解決手段】第１ハウジング２０と、第１ハウジング２０に取り付けられ第１ハウジング２０と共にコンタクト収容部６０を構成する第２ハウジング３０と、コンタクト収容部６０に収容されるコンタクト４０とを備え、第２ハウジング３０は、第１ハウジング２０に対して相対的にスライド可能に取り付けられ、コンタクト４０は、第１ハウジング２０と第２ハウジング３０との間に遊びをもった状態でコンタクト収容部６０内に収容され、第２ハウジング３０は、コンタクト収容部６０内におけるコンタクト４０の位置を制御し、第１ハウジング２０と第２ハウジング３０とが相対的にスライドした際に、コンタクト４０を押動する制御部３４を有しているコネクタ１０。【選択図】図１４
2013008612.tif 000002
【特許請求の範囲】
【請求項１】
第１ハウジングと、前記第１ハウジングに取り付けられ前記第１ハウジングと共にコンタクト収容部を構成する第２ハウジングと、前記コンタクト収容部内に少なくとも一部が収容されるコンタクトとを備え、
前記第２ハウジングは、前記第１ハウジングに対して相対的にスライド可能に取り付けられ、
前記コンタクトは、前記第１ハウジングと前記第２ハウジングとの間に遊びをもった状態で前記コンタクト収容部内に収容され、
前記第２ハウジングは、前記コンタクト収容部内における前記コンタクトの位置および姿勢を制御し、前記第１ハウジングと前記第２ハウジングとが相対的にスライドした際に、前記コンタクトを押動する制御部を有していることを特徴とするコネクタ。
【請求項２】
前記コンタクトは、前記第２ハウジング側に配置され接続対象物に接触する接触部を有していることを特徴とする請求項１に記載のコネクタ。
【請求項３】
前記コンタクトは、前記第１ハウジング側に配置され他の接続対象物に接触する他の接触部を更に有していることを特徴とする請求項２に記載のコネクタ。
【請求項４】
前記第１ハウジングは、前記コンタクト収容部内における前記コンタクトの位置および姿勢を制御し、前記第１ハウジングと前記第２ハウジングとが相対的にスライドした際に、前記コンタクトを押動する制御部を有していることを特徴とする請求項１乃至請求項３のいずれか１項に記載のコネクタ。
【請求項５】
前記コンタクトは、対向配置された一対の導電部材と、前記一対の導電部材の間に設けられ前記一対の導電部材を相互に接近させる方向に付勢する付勢部材とを備え、
前記コンタクトは、前記付勢部材により付勢された前記一対の導電部材で接続対象物を挟持して接続されるように構成されていることを特徴とする請求項１乃至請求項４のいずれか１項に記載のコネクタ。
【請求項６】
前記第２ハウジングの前記制御部は、前記一対の導電部材間に介在して配置されていることを特徴とする請求項５に記載のコネクタ。
【請求項７】
前記コンタクトは、対向配置された一対の導電部材と、前記一対の導電部材の間に設けられ前記一対の導電部材を相互に接近させる方向に付勢する付勢部材とを備え、
前記コンタクトは、前記付勢部材により付勢された前記一対の導電部材で接続対象物を挟持して接続されるように構成され、
前記第１ハウジングの前記制御部は、前記一対の導電部材間に介在して配置されていることを特徴とする請求項４に記載のコネクタ。
【請求項８】
前記第２ハウジングは、接続対象物と嵌合する方向及び前記第１ハウジングが相対的にスライドする方向に直交する方向に、前記コンタクトの位置を規制する位置規制部を有することを特徴とする請求項１乃至請求項７のいずれか１項に記載のコネクタ。
【請求項９】
前記第１ハウジングは、接続対象物と嵌合する方向及び前記第２ハウジングが相対的にスライドする方向に直交する方向に、前記コンタクトの位置を規制する位置規制部を有することを特徴とする請求項１乃至請求項８のいずれか１項に記載のコネクタ。
【請求項１０】
前記第２ハウジングは、接続対象物と嵌合する方向に直交する方向に、前記第１ハウジングに対して相対的にスライド可能に取り付けられていることを特徴とする請求項１乃至請求項９のいずれか１項に記載のコネクタ。
【請求項１１】
請求項１乃至請求項１０のいずれか１項に記載のコネクタと、前記コネクタが取り付けられる取り付け対象物とを備え、
前記第１ハウジングは、前記取り付け対象物に対して移動可能な状態で前記取り付け対象物に取り付けられていることを特徴とするコネクタ装置。
【発明の詳細な説明】
【技術分野】
【０００１】
本発明は、コネクタおよびコネクタ装置に関し、特に、接続対象物との間の位置ずれ補正機能を備えたコネクタおよびコネクタ装置に関する。
【背景技術】
【０００２】
従来、接続対象物との間の位置ずれ補正機能を備えたコネクタとして、図１５に示すように、パネル１１０に取り付けられる端子台本体１２０と、端子台本体１２０に組み付けられる導電接続配線板１３０と、端子台本体１２０に内蔵された雄ピン受けナット１４０と、雄ピン受けナット１４０を介して端子台本体１２０に取り付けられる雄ピン１５０と、雄ピン１５０を介して端子台本体１２０に組み付けられるプラグインコネクタハウジング１６０とを備えたプラグインコネクタ（雄）１００が知られている（例えば、特許文献１参照。）。
【０００３】
この特許文献１に記載されたプラグインコネクタ（雄）１００では、雄ピン１５０や雄ピン受けナット１４０を端子台本体１２０に対して多少のガタつきをもって組み付けることにより、プラグインコネクタ（雄）１００とプラグインコネクタ（雌）１７０との間のプラグイン接続に必要とされるフローティング機能を確保している。
【先行技術文献】
【特許文献】
【０００４】
【特許文献１】特開２００３−３４６９４０号公報
【発明の概要】
【発明が解決しようとする課題】
【０００５】
ところが、従来のプラグインコネクタ（雄）１００では、各部材間に取り付けガタを敢えて形成することによりフローティング性を確保しているが、この取り付けガタを大きく取り過ぎると部材の取り付け強度が損なわれることになるため、取り付けガタの大きさは一定に制限され、結果として、確保できるフローティング量（雄ピン１５０の変位量）が制限されるという問題があった。
【０００６】
また、従来のプラグインコネクタ（雄）１００では、取付部材としての雄ピン受けナット１４０を介して雄ピン１５０を端子台本体１２０に対して取り付けているため、部品点数が多く、組み付けに係る作業負担も大きいという問題があった。
【０００７】
そこで、本発明は、従来の問題を解決するものであって、すなわち、本発明の目的は、簡便な構造でコンタクトのフローティング量を大きく確保し、しかも、部品点数が少なく、組み付けに係る作業負担を低減するコネクタおよびコネクタ装置を提供することである。
【課題を解決するための手段】
【０００８】
本発明のコネクタは、第１ハウジングと、前記第１ハウジングに取り付けられ前記第１ハウジングと共にコンタクト収容部を構成する第２ハウジングと、前記コンタクト収容部内に少なくとも一部が収容されるコンタクトとを備え、前記第２ハウジングは、前記第１ハウジングに対して相対的にスライド可能に取り付けられ、前記コンタクトは、前記第１ハウジングと前記第２ハウジングとの間に遊びをもった状態で前記コンタクト収容部内に収容され、前記第２ハウジングは、前記コンタクト収容部内における前記コンタクトの位置および姿勢を制御し、前記第１ハウジングと前記第２ハウジングとが相対的にスライドした際に、前記コンタクトを押動する制御部を有していることにより、前述した課題を解決したものである。
【０００９】
前記コンタクトは、前記第２ハウジング側に配置され接続対象物に接触する接触部を有していてもよい。
【００１０】
前記コンタクトは、前記第１ハウジング側に配置され他の接続対象物に接触する他の接触部を更に有していてもよい。
【００１１】
前記第１ハウジングは、前記コンタクト収容部内における前記コンタクトの位置および姿勢を制御し、前記第１ハウジングと前記第２ハウジングとが相対的にスライドした際に、前記コンタクトを押動する制御部を有していてもよい。
【００１２】
前記コンタクトは、対向配置された一対の導電部材と、前記一対の導電部材の間に設けられ前記一対の導電部材を相互に接近させる方向に付勢する付勢部材とを備え、前記コンタクトは、前記付勢部材により付勢された前記一対の導電部材で接続対象物を挟持して接続されるように構成されていてもよい。
【００１３】
前記第２ハウジングの前記制御部は、前記一対の導電部材間に介在して配置されていてもよい。
【００１４】
前記第１ハウジングの前記制御部は、前記一対の導電部材間に介在して配置されていてもよい。
【００１５】
前記第２ハウジングは、前記接続対象物と嵌合する方向及び前記第１ハウジングが相対的にスライドする方向に直交する方向に、前記コンタクトの位置を規制する位置規制部を有していてもよい。
【００１６】
前記第１ハウジングは、前記接続対象物と嵌合する方向及び前記第２ハウジングが相対的にスライドする方向に直交する方向に、前記コンタクトの位置を規制する位置規制部を有していてもよい。
【００１７】
前記第２ハウジングは、前記接続対象物と嵌合する方向に直交する方向に、前記第１ハウジングに対して相対的にスライド可能に取り付けられていてもよい。
【００１８】
本発明のコネクタ装置は、前記コネクタと、前記コネクタが取り付けられる取り付け対象物とを備え、前記第１ハウジングは、前記取り付け対象物に対して移動可能な状態で前記取り付け対象物に取り付けられていることにより、前述した課題を解決したものである。
【発明の効果】
【００１９】
本発明では、第１ハウジングに対して第２ハウジングをスライド可能に取り付け、第１ハウジングおよび第２ハウジングにより構成されたコンタクト収容部内に遊びをもった状態でコンタクトを配置することにより、第２ハウジングのスライド動作に伴ってコンタクトを変位させることが可能であるため、簡便な構造でコンタクトのフローティング量（変位量）を大きく確保でき、接続対象物との接続の確実性を向上できる。
【００２０】
また、第１ハウジングおよび第２ハウジングにより構成されたコンタクト収容部に遊びをもった状態でコンタクトを収容していることにより、ハウジングに対するコンタクト組み付けのために取付部材等の追加部品を必要としないため、部品点数が少なく、組み付けに係る作業負担を低減できる。
【図面の簡単な説明】
【００２１】
【図１】本発明の一実施例であるコネクタの使用態様図である。
【図２】コネクタを取り付けた電池ユニットを示す説明図である。
【図３】電池ユニットに対するコネクタの取り付け方法を説明する説明図である。
【図４】ブスバーとコネクタとラック側コネクタとを示す斜視図である。
【図５】ブスバーとコネクタとラック側コネクタとを相互に嵌合させた状態を示す斜視図である。
【図６】コネクタを示す分解斜視図である。
【図７】コネクタを示す全体斜視図である。
【図８】コネクタを切断してコネクタ内部を示す説明図である。
【図９】図８とは異なる角度からみてコネクタ内部を示す説明図である。
【図１０】図８および図９とは異なる位置でコネクタを切断してコネクタ内部を示す説明図である。
【図１１】図８乃至図１０とは異なる位置でコネクタを切断してコネクタ内部を示す説明図である。
【図１２】コンタクトを示す全体斜視図およびコンタクトを切断して示す説明図である。
【図１３】第１ハウジングに対して第２ハウジングをスライドさせる様子を示す説明図である。
【図１４】電池ユニットに対するコネクタの取り付け時、および、ラック側コネクタに対するコネクタの取り付け時の状態を概念的に示す説明図である。
【図１５】従来のプラグインコネクタを示す説明図である。
【発明を実施するための形態】
【００２２】
以下、本発明の一実施例であるコネクタを図面に基づいて説明する。
【００２３】
なお、以下の説明では、コネクタに対してブスバー（接続対象物）およびラック側コンタクト（他の接続対象物）を接近させて嵌合させる方向を第１方向Ｘ、第１ハウジングに対して第２ハウジングを相対的にスライドさせる方向を第２方向Ｙ、第１方向Ｘおよび第２方向Ｙに直交する方向を第３方向Ｚとして規定する。なお、以下に示す実施例では、第１方向Ｘに対して第２方向Ｙが直交するものとして説明するが、第２方向Ｙが第１方向Ｘに直交しないものとして構成してもよい。また、以下に示す実施例では、コネクタに対するブスバーの嵌合方向とコネクタに対するラック側コンタクトの嵌合方向とが相互に平行に設定されているものとして説明するが、非平行に設定してもよい。
【実施例】
【００２４】
本実施例のコネクタ１０は、２次電池用コネクタであり、図１乃至図５に示すように、バッテリ（２次電池）７２を内蔵した電池ユニット７０のケーシング（取り付け対象物）７１に取り付けられ、電池ユニット７０を収容ラック８０に挿入した際に、収容ラック８０に取り付けられたラック側コネクタ９０に嵌合し、電池ユニット７０に内蔵されバッテリ７２に接続されたブスバー７３と、ラック側コネクタ９０に設けられたラック側コンタクト９１との間を電気的に接続するものである。なお、図２に示す符号５１は、後述する信号用コンタクト（図示しない）に接続される信号線である。
【００２５】
コネクタ１０は、図４乃至図１１に示すように、第１ハウジング２０と、第１ハウジング２０に対して相対的に第２方向Ｙにスライド可能に取り付けられる第２ハウジング３０と、第１ハウジング２０および第２ハウジング３０により構成されたコンタクト収容部６０に収容される電源供給用のコンタクト４０と、第１ハウジング２０に取り付けられ信号用コンタクト（図示しない）を保持する信号用ハウジング５０とを備えている。
【００２６】
第１ハウジング２０は、絶縁性樹脂から形成され、図３に示すように、電池ユニット７０のケーシング７１に形成された取り付け開口部７１ａに対して第２方向Ｙおよび第３方向Ｚに遊び（隙間）を有し、ケーシング７１に対して第２方向Ｙおよび第３方向Ｚに移動可能な状態で、スペーサ７４およびボルト７５を用いて、ケーシング７１に取り付けられている。
【００２７】
第１ハウジング２０は、図６乃至図１１に示すように、コンタクト４０の一部を収容する第１収容部２１と、第１収容部２１内へラック側コンタクト９１を挿入させる第１開口部２２と、後述する第２ハウジング３０の取付バネ部３３を第２方向Ｙにスライド可能な状態で支持するスライドガイド部２３と、コンタクト収容部６０内におけるコンタクト４０の位置および姿勢を制御する第１制御部２４と、第３方向Ｚにおけるコンタクト４０の位置を規制する第１位置規制部２５と、信号用ハウジング５０を保持する信号用ハウジング保持部２６とを一体に有している。
【００２８】
第１収容部２１は、図６や図８に示すように、第２ハウジング３０側において開口し、第２ハウジング３０に形成された第２収容部３１と共にコンタクト収容部６０を構成している。
第１制御部２４は、図６乃至図１１に示すように、第１収容部２１を規定する第１ハウジング２０の内壁から第１収容部２１内に向けて第３方向Ｚに沿って延出され、図９や図１３に示すように、第１方向Ｘにおけるコンタクト４０の支持部４１ｃと第１接触部４１ｄとの間の領域で、一対の導電部材４１間に介在している。第１制御部２４は、第２ハウジング３０に形成された第２制御部３４と協働して、コンタクト収容部６０内におけるコンタクト４０の姿勢（具体的には、第１方向Ｘおよび第２方向Ｙにより規定される平面内における姿勢）を制御している。更に詳しくは、第１制御部２４は、第１ハウジング２０と第２ハウジング３０との間の相対的な位置関係に関わらず、第１開口部２２から挿入されるラック側コンタクト９１が第１接触部４１ｄ間に入り込むことが可能である程度に、第１ハウジング２０に形成された第１開口部２２と第１接触部４１ｄとの位置関係を制御する。また、第１制御部２４は、第１接触部４１ｄ間に対するラック側コンタクト９１の挿入時に、第１方向Ｘにおけるラック側コンタクト９１の挿入位置（挿入の深さ）を規制する部位として機能する。
【００２９】
第２ハウジング３０は、絶縁性樹脂から形成され、第１ハウジング２０に対して第２方向Ｙにスライド可能な状態で取り付けられている。
【００３０】
第２ハウジング３０は、図６乃至図１０に示すように、コンタクト４０の一部を収容する第２収容部３１と、第２収容部３１内へブスバー７３を挿入させる第２開口部３２と、第１ハウジング２０のスライドガイド部２３に取り付けられる取付バネ部３３と、コンタクト収容部６０内におけるコンタクト４０の位置および姿勢を制御する第２制御部３４と、第３方向Ｚにおけるコンタクト４０の位置を規制する第２位置規制部３５と、ブスバー７３を第２開口部３２に向けて誘導するガイド部３６とを一体に有している。
【００３１】
第２収容部３１は、図８に示すように、第１ハウジング２０側において開口し、第１ハウジング２０に形成された第１収容部２１と共にコンタクト収容部６０を構成している。
第２制御部３４は、図８乃至図１１に示すように、第２収容部３１を規定する第２ハウジング３０の内壁から第２収容部３１内に向けて第３方向Ｚに沿って延出され、図１３に示すように、第１方向Ｘにおけるコンタクト４０の支持部４１ｃと第２接触部４１ｅとの間の領域で、一対の導電部材４１間に介在している。第２制御部３４は、第１ハウジング２０に形成された第１制御部２４と協働して、コンタクト収容部６０内におけるコンタクト４０の姿勢（具体的には、第１方向Ｘおよび第２方向Ｙにより規定される平面内における姿勢）を制御している。更に詳しくは、第２制御部３４は、第１ハウジング２０と第２ハウジング３０との間の相対的な位置関係に関わらず、第２開口部３２から挿入されたブスバー７３が第２接触部４１ｅ間に入り込むことが可能である程度に、第２ハウジング３０に形成された第２開口部３２と第２接触部４１ｅとの位置関係を制御する。また、第２制御部３４は、第２接触部４１ｅ間に対するブスバー７３の挿入時に、第１方向Ｘにおけるブスバー７３の挿入位置（挿入の深さ）を規制する部位として機能する。
【００３２】
コンタクト４０は、電源供給用のソケットコンタクトであり、図８に示すように、コネクタ１０に形成された各コンタクト収容部６０内に、第３方向Ｚに並列した状態で、２つ１組で配置されている。各コンタクト４０は、第１ハウジング２０および第２ハウジング３０を含むいずれの部材との間においても遊び（隙間）をもった状態で収容され、換言すると、各コンタクト４０は、第１ハウジング２０および第２ハウジング３０を含むいずれの部材に対しても固定されていない。
【００３３】
各コンタクト４０は、図１２に示すように、一対の導電部材４１と、一対の導電部材４１間に取り付けられ一対の導電部材４１を相互に接近させる方向に付勢する付勢部材４２とから構成されている。なお、本実施例では、付勢部材４２は、図１２に示すように、コイルバネから構成されているが、具体的な態様はこれに限定されず、例えば、ゴム等の弾性部材から構成されてもよい。
【００３４】
一対の導電部材４１は、非弾性の導電性金属（タフピッチ銅、純度９９％程度の銅）から形成され、それぞれ同一形状を有している。本実施例では、導電部材４１は、純銅の導電率を１００％とすると５０％以上の導電率を有する。
【００３５】
一対の導電部材４１は、図１２に示すように、一対の導電部材４１間で離間配置される基部４１ａと、各基部４１ａに形成され付勢部材４２が取り付けられる取付部４１ｂと、基部４１ａから他方の導電部材４１に向けて延び付勢部材４２による付勢力に抗して他方の導電部材４１を支持する支持部４１ｃと、第１方向Ｘにおける取付部４１ｂ（および支持部４１ｃ）の両側にそれぞれ形成される第１接触部４１ｄおよび第２接触部４１ｅとをそれぞれ有している。
【００３６】
本実施例においては、支持部４１ｃは、図１２に示すように、各基部４１ａの第３方向Ｚにおける両側から第２方向Ｙに沿ってそれぞれ立設され、一方の導電部材４１と他方の導電部材４１とが第１方向Ｘに相対的に位置規制されるように、他方の導電部材４１に形成された支持部４１ｃに係合している。
【００３７】
各コンタクト４０は、図１２に示すように、一対の導電部材４１に付勢部材４２を取り付け、一対の導電部材４１間で支持部４１ｃ同士を相互に係合させた状態で、組み付け後の立体構造が自律的に維持されるように構成されている。
【００３８】
各コンタクト４０は、第１接触部４１ｄ同士および第２接触部４１ｅ同士を第２方向Ｙに対向させた状態で配置され、第１収容部２１内に配置された第１接触部４１ｄ間でラック側コンタクト９１を挟持してラック側コンタクト９１に接続され、また、第２収容部３１内に配置された第２接触部４１ｅ間でブスバー７３を挟持してブスバー７３に接続される。
【００３９】
各コンタクト４０は、前述したように、第１ハウジング２０に形成された第１制御部２４と、第２ハウジング３０に形成された第２制御部３４とにより、コンタクト収容部６０内における姿勢および位置（具体的には、第１方向Ｘおよび第２方向Ｙにより規定される平面内における位置および姿勢）を制御され、また、第１ハウジング２０に形成された第１位置規制部２５と、第２ハウジング３０に形成された第２位置規制部３５とにより、コンタクト収容部６０内における第３方向Ｚにおける位置を規制されている。
【００４０】
付勢部材４２は、図１２に示すように、一対の導電部材４１にそれぞれ形成された取付部４１ｂ間に取り付けられ、コンタクト４０を構成する一対の導電部材４１にそれぞれ形成された基部４１ａおよび支持部４１ｃにより規定された空間内に配置されている。
【００４１】
つぎに、コネクタ１０の組み付け方法について、主に図６に基づいて説明する。
【００４２】
まず、第１ハウジング２０の第１収容部２１に対して、コンタクト４０を挿入する。
ここで、第２方向Ｙに対向する第１接触部４１ｄ間の間隔は、第１ハウジング２０に形成された第１制御部２４の幅寸法（第２方向Ｙにおける幅寸法）より狭く設定されている。そのため、第１ハウジング２０に対するコンタクト４０の挿入時には、第１制御部２４により第１接触部４１ｄ間の間隔が一旦は広げられ、更にコンタクト４０の挿入を押し進めると、第１接触部４１ｄが第１制御部２４を乗り越えて第１接触部４１ｄ間の間隔が元の間隔に復帰し、コンタクト４０が第１制御部２４により第１方向Ｘに抜け止めされる。
このように、第１ハウジング２０に対するコンタクト４０の取り付けは、第１収容部２１に対するコンタクト４０の挿入の一動作により達成される。
【００４３】
次に、取付バネ部３３側を先頭にして第２ハウジング３０を第１ハウジング２０に対して挿入する。
この際、第１ハウジング２０に接触して取付バネ部３３が一旦は弾性変形し、更に第１ハウジング２０への挿入を押し進めると、取付バネ部３３が弾性復帰し、第１ハウジング２０のスライドガイド部２３に係合して、第２ハウジング３０が第１ハウジング２０に対して抜け止めされる。
ここで、第２方向Ｙに対向する第２接触部４１ｅ間の間隔は、第２制御部３４の幅寸法（第２方向Ｙにおける幅寸法）以上に設定されている。そのため、第１ハウジング２０に対する第２ハウジング３０の挿入時には、第２接触部４１ｅと第２制御部３４とが相互に引っ掛かることなく、第１ハウジング２０に対する第２ハウジング３０の挿入を円滑に行うことができる。
このように、第１ハウジング２０に対する第２ハウジング３０の取り付けは、第１ハウジング２０に対する第２ハウジング３０の挿入の一動作により達成される。
なお、第１制御部２４と同様に、第２制御部３４の幅寸法を、第２接触部４１ｅ間の間隔より大きく設定してもよい。
【００４４】
つぎに、電池ユニット７０に対するコネクタ１０の取り付け方法について、主に図１４に基づいて以下に説明する。
【００４５】
まず、第２ハウジング３０側を先頭にして、コネクタ１０をケーシング７１に形成された取り付け開口部７１ａ内に挿入し、各第２接触部４１ｅ間に各ブスバー７３を挿入させる。
この際、各第２ハウジング３０が第１ハウジング２０に対して第２方向Ｙにスライド可能に取り付けられているため、ブスバー７３と第２ハウジング３０のガイド部３６との当接により、第２ハウジング３０の第２方向Ｙにおける位置が補正される。
そして、この第２ハウジング３０のスライドに伴って、コンタクト４０が第２ハウジング３０に形成された第２制御部３４により第２方向Ｙに押動され、第２接触部４１ｅの位置も第２方向Ｙに補正される。
【００４６】
また、この際、コネクタ１０内に挿入されるブスバー７３は、第２制御部３４に当接した場合、第１方向Ｘにおける挿入位置（挿入深さ）を第２制御部３４により規制される。
【００４７】
次に、スペーサ７４およびボルト７５を用いて、第１ハウジング２０をケーシング７１に取り付ける。
【００４８】
この電池ユニット７０に対してコネクタ１０を取り付けた状態では、ケーシング７１に対して固定されたブスバー７３を、第２接触部４１ｅが挟持しているため、第２接触部４１ｅ（または第２ハウジング３０）とブスバー７３（またはケーシング７１）との間の位置関係も凡そ固定されるが、本実施例では、第１ハウジング２０が第２ハウジング３０およびケーシング７１に対して第２方向Ｙにスライド可能に設けられているため、第１ハウジング２０は、ケーシング７１に対して第２方向Ｙに自在に移動することができる。
【００４９】
つぎに、収容ラック８０に対する電池ユニット７０の取り付け方法について、主に図１４に基づいて以下に説明する。
【００５０】
まず、コネクタ１０側を先頭にして、コネクタ１０付きの電池ユニット７０を、収容ラック８０に対して挿入し、各第１接触部４１ｄ間に各ラック側コンタクト９１を挿入させる。
この際、ラック側コネクタ９０のラック側ハウジング９２には、図４に示すように、コネクタ１０を第２方向Ｙに誘導するガイド部９２ａが形成されており、また、第１ハウジング２０がケーシング７１に対して第２方向Ｙに移動可能に取り付けられているため、第１ハウジング２０はこのガイド部９２ａにより第２方向Ｙに押され、第１ハウジング２０は電池ユニット７０に対してスライドして第２方向Ｙに位置補正される。
なお、本実施例では、上述したように、ラック側ハウジング９２にガイド部９２ａを形成したが、その反対に、第１ハウジング２０側に、第１ハウジング２０とラック側ハウジング９２との間の第２方向Ｙにおける位置関係を補正するガイド部を形成してもよい。
【００５１】
そして、この電池ユニット７０に対する第１ハウジング２０のスライドに伴って、コンタクト４０が第１ハウジング２０に形成された第１制御部２４により第２方向Ｙに押動され、第１接触部４１ｄの位置も第２方向Ｙに補正される。
【００５２】
また、この際、コネクタ１０内に挿入されるラック側コンタクト９１は、第１制御部２４に当接した場合、第１方向Ｘにおける挿入位置を第１制御部２４により規制される。
【００５３】
このようにして得られた本実施例のコネクタ１０では、第１ハウジング２０に対して第２ハウジング３０をスライド可能に取り付け、第１ハウジング２０および第２ハウジング３０により構成されたコンタクト収容部６０内に遊びをもった状態でコンタクト４０を配置することにより、第２ハウジング３０のスライド動作に伴って第２制御部３４によりコンタクト４０の第２接触部４１ｅを変位させることが可能であるため、簡便な構造でコンタクト４０のフローティング量（変位量）を大きく確保でき、第２接触部４１ｅとブスバー７３との間の第２方向Ｙにおける位置ずれを許容して、第２接触部４１ｅとブスバー７３との間の接続の確実性を向上できる。
【００５４】
更に、第２ハウジング３０に対して第１ハウジング２０をスライド可能に取り付けることに加えて、第１ハウジング２０をケーシング７１に対して第２方向Ｙに移動自在に取り付けることにより、電池ユニット７０に対してコネクタ１０が取り付けられブスバー７３と第２接触部４１ｅとの間が凡そ固定された場合であっても、電池ユニット７０のケーシング７１に対する第１ハウジング２０の移動性を維持できるため、第１接触部４１ｄとラック側コンタクト９１との間の第２方向Ｙにおける位置ずれを許容して、第１接触部４１ｄとラック側コンタクト９１との間の接続の確実性を向上できる。
【００５５】
また、第１ハウジング２０および第２ハウジング３０により構成されたコンタクト収容部６０に遊びをもった状態でコンタクト４０を収容していることにより、第１ハウジング２０および第２ハウジング３０に対するコンタクト４０の組み付けのために取付部材等の追加部品を必要としないため、部品点数が少なく、組み付けに係る作業負担を低減できる。
【００５６】
第１収容部２１内におけるコンタクト４０の位置および姿勢を制御する第１制御部２４が、導電部材４１間に配置されていることにより、第１収容部２１を規定しコンタクト４０の周囲に位置する第１ハウジング２０の内壁の設計に関わらず、第１ハウジング２０が第２方向Ｙのいずれの方向にスライドする場合であっても、第１制御部２４のみで第１接触部４１ｄ側のコンタクト４０の位置および姿勢を制御することが可能であるため、第１ハウジング２０の設計自由度を向上できる。
【００５７】
また、第２制御部３４についても同様に、第２収容部３１内におけるコンタクト４０の位置および姿勢を制御する第２制御部３４が、導電部材４１間に配置されていることにより、第２収容部３１を規定しコンタクト４０の周囲に位置する第２ハウジング３０の内壁の設計に関わらず、第２ハウジング３０が第２方向Ｙのいずれの方向にスライドする場合であっても、第２制御部３４のみで第２接触部４１ｅ側のコンタクト４０の位置および姿勢を制御することが可能であるため、第２ハウジング３０の設計自由度を向上できる。
【００５８】
また、第１制御部２４が導電部材４１間に配置されていることにより、第１制御部２４が、コネクタ１０内に対するラック側コンタクト９１の挿入時に、第１方向Ｘにおけるラック側コンタクト９１の挿入位置を規制する部位としても併せて機能するため、第１制御部２４とは別途にラック側コンタクト９１の挿入位置を規制する部位を形成する必要がなく、第１ハウジング２０の設計自由度をより一層向上できる。
【００５９】
また、第２制御部３４についても同様に、第２制御部３４が導電部材４１間に配置されていることにより、第２制御部３４が、コネクタ１０内に対するブスバー７３の挿入時に、第１方向Ｘにおけるブスバー７３の挿入位置を規制する部位としても併せて機能するため、第２制御部３４とは別途にブスバー７３の挿入位置を規制する部位を形成する必要がなく、第２ハウジング３０の設計自由度をより一層向上できる。
【００６０】
なお、上述した実施例では、コネクタが、異なる２つの接続対象物が外部から嵌合されるコネクタであるものとして説明したが、コネクタの具体的態様はこれに限定されず、例えば、コネクタに対して１つの接続対象物が外部から嵌合されるように構成してもよい。
【００６１】
また、上述した実施例では、コンタクトが、一方の接続対象物に接触する第１接触部と、他方の接続対象物に接触する第２接触部とを有しているものとして説明したが、外部から嵌合される接続対象物が１つである場合には、片方の接触部のみをコンタクトに形成すればよい。
【００６２】
また、上述した実施例では、第１ハウジングと第２ハウジングの両方が、コンタクト収容部内におけるコンタクトの位置および姿勢を制御する制御部を有しているものとして説明したが、一方のハウジングのみに制御部を設けてもよい。
【００６３】
また、上述した実施例では、第１ハウジングが取り付け対象物に対して移動可能に取り付けられているものとして説明したが、第１ハウジングが取り付け対象物に対して固定されていてもよい。
【００６４】
また、上述した実施例では、コンタクトが、一対の導電部材と付勢部材とから構成され、一対の導電部材で接続対象物を挟持して接触するものとして構成されているが、コンタクトの具体的態様は上記に限定されず、例えば、単一の導電部材からコンタクトを構成してもよい。
【００６５】
また、上述した実施例では、コンタクト全体がコンタクト収容部内に収容されているものとして説明したが、コンタクトの一部をコンタクト収容部の外部に突出させてもよい。
【００６６】
また、上述した実施例では、コンタクトが、電源供給用コンタクトであるものとして説明したが、信号コンタクトとして用いてもよい。
【符号の説明】
【００６７】
１０    ・・・  コネクタ
２０    ・・・  第１ハウジング
２１    ・・・  第１収容部
２２    ・・・  第１開口部
２３    ・・・  スライドガイド部
２４    ・・・  第１制御部
２５    ・・・  第１位置規制部
２６    ・・・  信号用ハウジング保持部
３０    ・・・  第２ハウジング
３１    ・・・  第２収容部
３２    ・・・  第２開口部
３３    ・・・  取付バネ部
３４    ・・・  第２制御部
３５    ・・・  第２位置規制部
３６    ・・・  ガイド部
４０    ・・・  コンタクト
４１    ・・・  導電部材
４１ａ  ・・・  基部
４１ｂ  ・・・  取付部
４１ｃ  ・・・  支持部
４１ｄ  ・・・  第１接触部
４１ｅ  ・・・  第２接触部
４２    ・・・  付勢部材
５０    ・・・  信号用ハウジング
５１    ・・・  信号線
６０    ・・・  コンタクト収容部
７０    ・・・  電池ユニット
７１    ・・・  ケーシング（取り付け対象物）
７１ａ  ・・・  取り付け開口部
７２    ・・・  バッテリ
７３    ・・・  ブスバー（接続対象物）
７４    ・・・  スペーサ
７５    ・・・  ボルト
８０    ・・・  収容ラック
９０    ・・・  ラック側コネクタ
９１    ・・・  ラック側コンタクト（他の接続対象物）
９２    ・・・  ラック側ハウジング
９２ａ  ・・・  ガイド部
Ｘ    ・・・  第１方向
Ｙ    ・・・  第２方向
Ｚ    ・・・  第３方向
【図１】
2013008612.tif 000003
【図２】
2013008612.tif 000004
【図３】
2013008612.tif 000005
【図４】
2013008612.tif 000006
【図５】
2013008612.tif 000007
【図６】
2013008612.tif 000008
【図７】
2013008612.tif 000009
【図８】
2013008612.tif 000010
【図９】
2013008612.tif 000011
【図１０】
2013008612.tif 000012
【図１１】
2013008612.tif 000013
【図１２】
2013008612.tif 000014
【図１３】
2013008612.tif 000015
【図１４】
2013008612.tif 000016
【図１５】
2013008612.tif 000017
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
第１ハウジングと、前記第１ハウジングに取り付けられ前記第１ハウジングと共にコンタクト収容部を構成する第２ハウジングと、前記コンタクト収容部内に少なくとも一部が収容されるコンタクトとを備え、
前記第２ハウジングは、前記第１ハウジングに対して相対的に所定方向に沿って移動可能に取り付けられ、
前記コンタクトは、前記第１ハウジングと前記第２ハウジングに対して固定されることなく相対的に移動可能な状態で前記コンタクト収容部内に収容されていることを特徴とするコネクタ。
【請求項２】
前記コンタクトは、前記第２ハウジング側に配置され接続対象物に接触する第２接触部を有していることを特徴とする請求項１に記載のコネクタ。
【請求項３】
前記コンタクトは、前記第１ハウジング側に配置され他の接続対象物に接触する第１接触部を更に有していることを特徴とする請求項２に記載のコネクタ。
【請求項４】
前記第２ハウジングは、前記コンタクト収容部内における前記コンタクトの位置および姿勢を制御し、前記第１ハウジングと前記第２ハウジングとが相対的に移動した際に、前記コンタクトを押動する第２制御部を有していることを特徴とする請求項１乃至請求項３のいずれか１項に記載のコネクタ。
【請求項５】
前記第１ハウジングは、前記コンタクト収容部内における前記コンタクトの位置および姿勢を制御し、前記第１ハウジングと前記第２ハウジングとが相対的に移動した際に、前記コンタクトを押動する第１制御部を有していることを特徴とする請求項１乃至請求項４のいずれか１項に記載のコネクタ。
【請求項６】
前記コンタクトは、対向配置された一対の導電部材と、前記一対の導電部材の間に設けられ前記一対の導電部材を相互に接近させる方向に付勢する付勢部材とを備え、
前記コンタクトは、前記付勢部材により付勢された前記一対の導電部材で前記接続対象物を挟持することを特徴とする請求項１乃至請求項５のいずれか１項に記載のコネクタ。
【請求項７】
前記第２ハウジングの前記第２制御部は、前記一対の導電部材間に介在して配置されていることを特徴とする請求項６に記載のコネクタ。
【請求項８】
前記コンタクトは、対向配置された一対の導電部材と、前記一対の導電部材の間に設けられ前記一対の導電部材を相互に接近させる方向に付勢する付勢部材とを備え、
前記コンタクトは、前記付勢部材により付勢された前記一対の導電部材で前記他の接続対象物を挟持することを特徴とする請求項１乃至請求項７のいずれか１項に記載のコネクタ。
【請求項９】
前記第１ハウジングの前記第１制御部は、前記一対の導電部材間に介在して配置されていることを特徴とする請求項８に記載のコネクタ。
【請求項１０】
前記第２ハウジングは、接続対象物と嵌合する方向及び前記第１ハウジングが相対的に移動する方向に直交する方向に、前記コンタクトの位置を規制する第２位置規制部を有することを特徴とする請求項１乃至請求項９のいずれか１項に記載のコネクタ。
【請求項１１】
前記第１ハウジングは、接続対象物と嵌合する方向及び前記第２ハウジングが相対的に移動する方向に直交する方向に、前記コンタクトの位置を規制する第１位置規制部を有することを特徴とする請求項１乃至請求項１０のいずれか１項に記載のコネクタ。
【請求項１２】
前記第２ハウジングは、接続対象物と嵌合する方向に直交する方向に、前記第１ハウジングに対して相対的に移動可能に取り付けられていることを特徴とする請求項１乃至請求項１１のいずれか１項に記載のコネクタ。
【請求項１３】
請求項１乃至請求項１２のいずれか１項に記載のコネクタと、前記コネクタが取り付けられる取り付け対象物とを備え、
前記第１ハウジングは、前記取り付け対象物に対して移動可能な状態で前記取り付け対象物に取り付けられていることを特徴とするコネクタ装置。
【請求項１４】
請求項１乃至請求項１２のいずれか１項に記載のコネクタと、前記コネクタが取り付けられる取り付け対象物と、前記接続対象物とを備え、
前記接続対象物は、ブスバーであることを特徴とする電池ユニット。
【請求項１５】
他のブスバーを更に備え、
前記ブスバーは、前記他のブスバーに接続されているとともに、前記コネクタの前記コンタクトに接続されていることを特徴とする請求項１４に記載の電池ユニット。
【請求項１６】
前記ブスバーは、屈曲した形状を有していることを特徴とする請求項１４または請求項１５に記載の電池ユニット。
【手続補正３】
【補正対象書類名】明細書
【補正対象項目名】０００１
【補正方法】変更
【補正の内容】
【０００１】
本発明は、コネクタ、コネクタ装置および電池ユニットに関し、特に、接続対象物との間の位置ずれ補正機能を備えたコネクタ、コネクタ装置および電池ユニットに関する。
【手続補正４】
【補正対象書類名】明細書
【補正対象項目名】０００７
【補正方法】変更
【補正の内容】
【０００７】
そこで、本発明は、従来の問題を解決するものであって、すなわち、本発明の目的は、簡便な構造でコンタクトのフローティング量を大きく確保し、しかも、部品点数が少なく、組み付けに係る作業負担を低減するコネクタ、コネクタ装置および電池ユニットを提供することである。
【手続補正５】
【補正対象書類名】明細書
【補正対象項目名】０００８
【補正方法】変更
【補正の内容】
【０００８】
本発明のコネクタは、第１ハウジングと、前記第１ハウジングに取り付けられ前記第１ハウジングと共にコンタクト収容部を構成する第２ハウジングと、前記コンタクト収容部内に少なくとも一部が収容されるコンタクトとを備え、前記第２ハウジングは、前記第１ハウジングに対して相対的に所定方向に沿って移動可能に取り付けられ、前記コンタクトは、前記第１ハウジングと前記第２ハウジングに対して固定されることなく相対的に移動可能な状態で前記コンタクト収容部内に収容されていることにより、前述した課題を解決したものである。
【手続補正６】
【補正対象書類名】明細書
【補正対象項目名】０００９
【補正方法】変更
【補正の内容】
【０００９】
前記コンタクトは、前記第２ハウジング側に配置され接続対象物に接触する第２接触部を有していてもよい。
【手続補正７】
【補正対象書類名】明細書
【補正対象項目名】００１０
【補正方法】変更
【補正の内容】
【００１０】
前記コンタクトは、前記第１ハウジング側に配置され他の接続対象物に接触する第１接触部を更に有していてもよい。
【手続補正８】
【補正対象書類名】明細書
【補正対象項目名】００１１
【補正方法】変更
【補正の内容】
【００１１】
前記第２ハウジングは、前記コンタクト収容部内における前記コンタクトの位置および姿勢を制御し、前記第１ハウジングと前記第２ハウジングとが相対的に移動した際に、前記コンタクトを押動する第２制御部を有していてもよい。
前記第１ハウジングは、前記コンタクト収容部内における前記コンタクトの位置および姿勢を制御し、前記第１ハウジングと前記第２ハウジングとが相対的に移動した際に、前記コンタクトを押動する第１制御部を有していてもよい。
【手続補正９】
【補正対象書類名】明細書
【補正対象項目名】００１２
【補正方法】変更
【補正の内容】
【００１２】
前記コンタクトは、対向配置された一対の導電部材と、前記一対の導電部材の間に設けられ前記一対の導電部材を相互に接近させる方向に付勢する付勢部材とを備え、前記コンタクトは、前記付勢部材により付勢された前記一対の導電部材で前記接続対象物を挟持してもよい。
【手続補正１０】
【補正対象書類名】明細書
【補正対象項目名】００１３
【補正方法】変更
【補正の内容】
【００１３】
前記第２ハウジングの前記第２制御部は、前記一対の導電部材間に介在して配置されていてもよい。
【手続補正１１】
【補正対象書類名】明細書
【補正対象項目名】００１４
【補正方法】変更
【補正の内容】
【００１４】
前記コンタクトは、対向配置された一対の導電部材と、前記一対の導電部材の間に設けられ前記一対の導電部材を相互に接近させる方向に付勢する付勢部材とを備え、前記コンタクトは、前記付勢部材により付勢された前記一対の導電部材で前記他の接続対象物を挟持してもよい。
前記第１ハウジングの前記第１制御部は、前記一対の導電部材間に介在して配置されていてもよい。
【手続補正１２】
【補正対象書類名】明細書
【補正対象項目名】００１５
【補正方法】変更
【補正の内容】
【００１５】
前記第２ハウジングは、接続対象物と嵌合する方向及び前記第１ハウジングが相対的に移動する方向に直交する方向に、前記コンタクトの位置を規制する第２位置規制部を有してもよい。
【手続補正１３】
【補正対象書類名】明細書
【補正対象項目名】００１６
【補正方法】変更
【補正の内容】
【００１６】
前記第１ハウジングは、接続対象物と嵌合する方向及び前記第２ハウジングが相対的に移動する方向に直交する方向に、前記コンタクトの位置を規制する第１位置規制部を有していてもよい。
【手続補正１４】
【補正対象書類名】明細書
【補正対象項目名】００１７
【補正方法】変更
【補正の内容】
【００１７】
前記第２ハウジングは、接続対象物と嵌合する方向に直交する方向に、前記第１ハウジングに対して相対的に移動可能に取り付けられていてもよい。
【手続補正１５】
【補正対象書類名】明細書
【補正対象項目名】００１８
【補正方法】変更
【補正の内容】
【００１８】
本発明のコネクタ装置は、前記コネクタと、前記コネクタが取り付けられる取り付け対象物とを備え、前記第１ハウジングは、前記取り付け対象物に対して移動可能な状態で前記取り付け対象物に取り付けられていることにより、前述した課題を解決したものである。
本発明の電池ユニットは、前記コネクタと、前記コネクタが取り付けられる取り付け対象物と、前記接続対象物とを備え、前記接続対象物は、ブスバーであることにより、前述した課題を解決したものである。
電池ユニットは、他のブスバーを更に備え、前記ブスバーは、前記他のブスバーに接続されているとともに、前記コネクタの前記コンタクトに接続されていてもよい。
前記ブスバーは、屈曲した形状を有していてもよい。
【手続補正１６】
【補正対象書類名】明細書
【補正対象項目名】００１９
【補正方法】変更
【補正の内容】
【００１９】
本発明では、簡便な構造でコンタクトのフローティング量（変位量）を大きく確保でき、接続対象物との接続の確実性を向上できる。
【手続補正１７】
【補正対象書類名】明細書
【補正対象項目名】００２０
【補正方法】変更
【補正の内容】
【００２０】
また、ハウジングに対するコンタクト組み付けのために取付部材等の追加部品を必要としないため、部品点数が少なく、組み付けに係る作業負担を低減できる。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
第１ハウジングと、前記第１ハウジングに取り付けられ前記第１ハウジングと共にコンタクト収容部を構成する第２ハウジングと、前記コンタクト収容部内に少なくとも一部が収容されるコンタクトとを備え、
前記第２ハウジングは、前記第１ハウジングに対して相対的に所定方向に沿って移動可能に取り付けられ、
前記コンタクトは、前記第１ハウジングと前記第２ハウジングに対して固定されることなく相対的に移動可能な状態で前記コンタクト収容部内に収容され、
前記コンタクトは、前記第２ハウジング側に配置され接続対象物に接触する第２接触部と、前記第１ハウジング側に配置され他の接続対象物に接触する第１接触部とを有し、
前記第２ハウジングは、前記コンタクト収容部内における前記コンタクトの位置および姿勢を制御し、前記第１ハウジングと前記第２ハウジングとが相対的に移動した際に、前記コンタクトを押動する第２制御部を有し、
前記第１ハウジングは、前記コンタクト収容部内における前記コンタクトの位置および姿勢を制御し、前記第１ハウジングと前記第２ハウジングとが相対的に移動した際に、前記コンタクトを押動する第１制御部を有していることを特徴とするコネクタ。
【請求項２】
前記コンタクトは、対向配置された一対の導電部材と、前記一対の導電部材の間に設けられ前記一対の導電部材を相互に接近させる方向に付勢する付勢部材とを備え、
前記コンタクトは、前記付勢部材により付勢された前記一対の導電部材で前記接続対象物を挟持することを特徴とする請求項１に記載のコネクタ。
【請求項３】
前記第２ハウジングの前記第２制御部は、前記一対の導電部材間に介在して配置されていることを特徴とする請求項２に記載のコネクタ。
【請求項４】
前記コンタクトは、対向配置された一対の導電部材と、前記一対の導電部材の間に設けられ前記一対の導電部材を相互に接近させる方向に付勢する付勢部材とを備え、
前記コンタクトは、前記付勢部材により付勢された前記一対の導電部材で前記他の接続対象物を挟持することを特徴とする請求項１乃至請求項３のいずれか１項に記載のコネクタ。
【請求項５】
前記第１ハウジングの前記第１制御部は、前記一対の導電部材間に介在して配置されていることを特徴とする請求項４に記載のコネクタ。
【請求項６】
前記第２ハウジングは、前記接続対象物と嵌合する方向及び前記第１ハウジングが相対的に移動する方向に直交する方向に、前記コンタクトの位置を規制する第２位置規制部を有することを特徴とする請求項１乃至請求項５のいずれか１項に記載のコネクタ。
【請求項７】
前記第１ハウジングは、前記接続対象物と嵌合する方向及び前記第２ハウジングが相対的に移動する方向に直交する方向に、前記コンタクトの位置を規制する第１位置規制部を有することを特徴とする請求項１乃至請求項６のいずれか１項に記載のコネクタ。
【請求項８】
前記第２ハウジングは、前記接続対象物と嵌合する方向に直交する方向に、前記第１ハウジングに対して相対的に移動可能に取り付けられていることを特徴とする請求項１乃至請求項７のいずれか１項に記載のコネクタ。
【請求項９】
請求項１乃至請求項８のいずれか１項に記載のコネクタと、前記コネクタが取り付けられる取り付け対象物とを備え、
前記第１ハウジングは、前記取り付け対象物に対して移動可能な状態で前記取り付け対象物に取り付けられていることを特徴とするコネクタ装置。
【請求項１０】
請求項１乃至請求項８のいずれか１項に記載のコネクタと、前記コネクタが取り付けられる取り付け対象物と、前記接続対象物とを備え、
前記接続対象物は、ブスバーであることを特徴とする電池ユニット。
【請求項１１】
他のブスバーを更に備え、
前記ブスバーは、前記他のブスバーに接続されているとともに、前記コネクタの前記コンタクトに接続されていることを特徴とする請求項１０に記載の電池ユニット。
【請求項１２】
前記ブスバーは、屈曲した形状を有していることを特徴とする請求項１０または請求項１１に記載の電池ユニット。
【手続補正２】
【補正対象書類名】明細書
【補正対象項目名】０００８
【補正方法】変更
【補正の内容】
【０００８】
本発明のコネクタは、第１ハウジングと、前記第１ハウジングに取り付けられ前記第１ハウジングと共にコンタクト収容部を構成する第２ハウジングと、前記コンタクト収容部内に少なくとも一部が収容されるコンタクトとを備え、前記第２ハウジングは、前記第１ハウジングに対して相対的に所定方向に沿って移動可能に取り付けられ、前記コンタクトは、前記第１ハウジングと前記第２ハウジングに対して固定されることなく相対的に移動可能な状態で前記コンタクト収容部内に収容され、前記コンタクトは、前記第２ハウジング側に配置され接続対象物に接触する第２接触部と、前記第１ハウジング側に配置され他の接続対象物に接触する第１接触部とを有し、前記第２ハウジングは、前記コンタクト収容部内における前記コンタクトの位置および姿勢を制御し、前記第１ハウジングと前記第２ハウジングとが相対的に移動した際に、前記コンタクトを押動する第２制御部を有し、前記第１ハウジングは、前記コンタクト収容部内における前記コンタクトの位置および姿勢を制御し、前記第１ハウジングと前記第２ハウジングとが相対的に移動した際に、前記コンタクトを押動する第１制御部を有していることにより、前述した課題を解決したものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】